(57)【特許請求の範囲】
【請求項１】
ソケット貫通部を有する反射板と、取付け部を有し前記ソケット貫通部を通して前記反射板の裏面側に基端部が位置するランプソケットと、前記ソケット貫通部に係止可能な係止部を有し前記取付け部を係合可能な係合部を有するアダプタとを備え、前記係止部は前記反射板の反射面側のアダプタの表面近くに設けられた照明器具。
【請求項２】
点灯ユニットを搭載しソケット取付部を有する器具本体と、前記ソケット取付部に重なるソケット貫通部を有して配光制御する反射板と、取付け部を有し前記ソケット貫通部を通して前記反射板の裏面側に基端部が位置するランプソケットと、前記ソケット貫通部に係止可能な係止部を有し前記取付け部に係合可能な係合部を有するアダプタとを備え、前記係止部は前記反射板の反射面側のアダプタの表面近くに設けられた照明器具。
【請求項３】
前記係止部は前記ソケット貫通部の幅方向の対辺に係止可能な切片である請求項１または請求項２記載の照明器具。
【請求項４】
前記係止部は前記ソケット貫通部の縁部を挟持する挟持片である請求項１または請求項２記載の照明器具。
【請求項５】
前記反射板の前記ソケット貫通部は前記ソケット取付部に直に重なり、前記係止部は一対有し、その少なくとも一方は前記ソケット貫通部に代えて、前記ソケット取付部に係止する請求項２記載の照明器具。
【請求項６】
点灯ユニットを搭載しソケット取付部を有する器具本体と、前記ソケット取付部に直に重なるソケット貫通部を有して配光制御する反射板と、取付け部を有し前記ソケット貫通部を通して前記反射板の裏面側に基端部が位置するランプソケットと、前記ソケット貫通部に係止可能な係止部を有し前記取付け部を係合可能な係合部を有するアダプタとを備え、前記係止部は一対有し、その一方を前記ソケット貫通部の縁部に引っ掛ける引掛式とし、他方を前記ソケット貫通部の縁部に弾性係止するスナップイン式とし、かつ、前記係止部が前記反射板の反射面側のアダプタの表面近くに設けられた照明器具。
【請求項７】
前記係止部の少なくとも一方は前記ソケット貫通部に代えて、前記ソケット取付部に係止する請求項６記載の照明器具。
【請求項８】
点灯ユニットを搭載しソケット取付部を有する器具本体と、前記ソケット取付部に隙間をおいて重なるソケット貫通部を有して配光制御する反射板と、取付け部を有するランプソケットと、前記ソケット取付部に係止可能な係止部を有し前記取付け部を係合可能な係合部を有するアダプタとを備え、前記アダプタは前記係合部を有する表面が前記ソケット貫通部側に前記隙間程度突出している照明器具。
【請求項９】
前記アダプタは表面に前記隙間程度の高さの台座部を突出し前記台座部に前記取付部を設けている請求項８記載の照明器具。
【請求項１０】
点灯ユニットを搭載しソケット取付部を有する器具本体と、前記ソケット取付部に接近して重なるソケット貫通部を有して配光制御する反射板と、取付け部を有するランプソケットと、前記ソケット取付部に係止可能な係止部を有し前記取付け部を係合可能な係合部を有するアダプタとを備え、前記アダプタは平板状である照明器具。
【請求項１１】
前記ソケット取付部は切欠き部とその両側より内方に突出した一対の舌片を有したものであり、前記アダプタは前記舌片に嵌合する取付孔および前記切欠き部に係止する係当部を有する請求項１０記載の照明器具。
【請求項１２】
前記アダプタは弾性を有する金属製である請求項１、請求項２、請求項３、請求項４、請求項５、請求項６、請求項７、請求項８、請求項９、請求項１０または請求項１１記載の照明器具。
【請求項１３】
前記アダプタは樹脂製である請求項１、請求項２、請求項３、請求項４、請求項５、請求項６、請求項７、請求項８、請求項９、請求項１０または請求項１１記載の照明器具。
【発明の詳細な説明】
【０００１】
【発明の属する技術分野】
この発明は、照明器具に関するものである。
【０００２】
【従来の技術】
照明器具は、反射板固定用係止具や、取付用ねじの受け構造を兼用していることが多い器具本体のソケット取付金具に、反射板のソケット貫通切欠き部を重ねたものでは、その間に若干の隙間を設けたものがある。これはねじの止め代を確保することで振動などに対しての緩み止めを狙うためである。また、ランプソケットは通常ソケット貫通切欠き部を通してソケット取付金具にスライドして係止されているが、反射板の切欠き幅寸法はソケット取付金具のランプソケットを取付ける切欠き部の幅に対して寸法的には大きくなる。
【０００３】
一方、昨今の照明器具の小形化に伴いランプソケットも従来に比べて飛躍的に小形化が進み、既設の器具に対応すべき補修用のランプソケットを要求されたときに現状のランプソケットを利用して、既設器具に適合する構造を考案する必要が生じてきた。
【０００４】
そこで、ソケット取付金具にスライドする切欠き部に対して、新しく取付けようとしているランプソケットの取付用スリットに係合できる係止片を有するアダプタ金具と一体化した交換用ソケットを装着することが考えられた。
【０００５】
例えば、第１の従来例は、図１４および図１５に示すように、アダプタ１００が中板部１０１と、その両側に垂下した側部１０２と、側部１０２の下端より相対向方向に突出した係止片１０３とで構成され、側部１０２にソケット取付台１０４の切欠き部１０５の両側辺部に係止するスリット１０６を形成し、係止片１０３をランプソケット１０７のスリット１０８に係止する。
【０００６】
第２の従来例は、図１６および図１７に示すように、第１の従来例のアダプタのスリット１０６に代えて、中板部１０１の両側から上方に立ち上がる立上り部１１０および立上り部１１０から外方に延びる係合部１１１からなる係止片１１２を設けている。係合部１１１と中板部１０１の両側部上面との間にソケット取付台１０４の切欠き部１０５の両側辺を挟持し、係止片１０３をランプソケット１０７のスリット１０８に係止する。このアダプタは新たに取付けようとするランプソケット１０７が背の低いタイプの場合に適する。
【０００７】
【発明が解決しようとする課題】
しかし、第１の従来例は、図１５（ｂ）に示すように反射板１０９の切欠き部（図示せず）の方が切欠き部１０５よりも大きいためアダプタ１００が反射板１０９の切欠き部から陥没してしまい、外観上見苦しい。また図１５（ａ）のようにアダプタを付けない従来型のランプソケット１０７ａと比べてランプソケット１０７の形状が小さく異なること、およびスリット１０８がソケット取付台１０４と異なる高さとなることから、反射板１０９とランプピンとの距離Ｈ1 、Ｈ2 がＨ1 ≠Ｈ2 となり、反射板１０９とランプとの相対的な位置がずれる場合があり、配光が変わってしまう。
【０００８】
第２の従来例は、図１７（ｂ）に示すように、反射板１０９の切欠き部の方が切欠き部１０５よりも大きいためアダプタ１００の一部が反射板１０９より突出量ｈだけ意匠面に露出し、ソケットアダプタ１００が意匠面に現れるため外観上見苦しい。また図１７（ａ）に示すようにアダプタ１００を付けない器具にアダプタ１００を付けて小形の新たなランプソケット１０７を使用する場合、第１の従来例と同様に反射板１０９とランプとの相対的な位置がずれる場合があり、Ｈ1 ≠Ｈ2 となって、配光が変わってしまう問題がある。
【０００９】
したがって、この発明の目的は、既設の照明器具に適用した場合でも、意匠的に優れ、反射板とランプとの相対的な位置ずれの発生を防止することができるアダプタを有する照明器具を提供することである。
【００１０】
【課題を解決するための手段】
請求項１記載の照明器具は、ソケット貫通部を有する反射板と、取付け部を有し前記ソケット貫通部を通して前記反射板の裏面側に基端部が位置するランプソケットと、前記ソケット貫通部に係止可能な係止部を有し前記取付け部を係合可能な係合部を有するアダプタとを備え、前記係止部は前記反射板の反射面側のアダプタの表面近くに設けられたものである。
【００１１】
請求項１記載の照明器具によれば、ソケット貫通部にアダプタを係止する構成のため意匠的に優れ、既設の照明器具に適用しても、反射板とランプとの相対的な位置ずれの発生を防止することができる。
【００１２】
請求項２記載の照明器具は、点灯ユニットを搭載しソケット取付部を有する器具本体と、前記ソケット取付部に重なるソケット貫通部を有して配光制御する反射板と、取付け部を有し前記ソケット貫通部を通して前記反射板の裏面側に基端部が位置するランプソケットと、前記ソケット貫通部に係止可能な係止部を有し前記取付け部に係合可能な係合部を有するアダプタとを備え、前記係止部は前記反射板の反射面側のアダプタの表面近くに設けられたものである。
【００１３】
請求項２記載の照明器具によれば、請求項１と同様な効果がある。
【００１４】
請求項３記載の照明器具は、請求項１または請求項２において、前記係止部が前記ソケット貫通部の幅方向の対辺に係止可能な切片である。
【００１５】
請求項３記載の照明器具によれば、請求項１と同様な効果がある。
【００１６】
請求項４記載の照明器具は、請求項１または請求項２において、前記係止部が前記ソケット貫通部の縁部を挟持する挟持片である。
【００１７】
請求項４記載の照明器具によれば、請求項１と同様な効果がある。
【００１８】
請求項５記載の照明器具は、請求項２において、前記反射板の前記ソケット貫通部は前記ソケット取付部に直に重なり、前記係止部は一対有し、その少なくとも一方は前記ソケット貫通部に代えて、前記ソケット取付部に係止するものである。
【００１９】
請求項５記載の照明器具によれば、ソケット取付部とソケット貫通部が直に重なっているため、請求項２と同様な効果がある。
【００２０】
請求項６記載の照明器具は、点灯ユニットを搭載しソケット取付部を有する器具本体と、前記ソケット取付部に直に重なるソケット貫通部を有して配光制御する反射板と、取付け部を有し前記ソケット貫通部を通して前記反射板の裏面側に基端部が位置するランプソケットと、前記ソケット貫通部に係止可能な係止部を有し前記取付け部を係合可能な係合部を有するアダプタとを備え、前記係止部は一対有し、その一方を前記ソケット貫通部の縁部に引っ掛ける引掛式とし、他方を前記ソケット貫通部の縁部に弾性係止するスナップイン式とし、かつ、前記係止部が前記反射板の反射面側のアダプタの表面近くに設けられたものである。
【００２１】
請求項６記載の照明器具によれば、ソケット取付部とソケット貫通部が直に重なっているため、請求項１と同様な効果がある。
【００２２】
請求項７記載の照明器具は、請求項６において、前記係止部の少なくとも一方は前記ソケット貫通部に代えて、前記ソケット取付部に係止するものである。
【００２３】
請求項７記載の照明器具によれば、ソケット取付部とソケット貫通部が直に重なっているため、請求項６と同様な効果がある。
【００２４】
請求項８記載の照明器具は、点灯ユニットを搭載しソケット取付部を有する器具本体と、前記ソケット取付部に隙間をおいて重なるソケット貫通部を有して配光制御する反射板と、取付け部を有するランプソケットと、前記ソケット取付部に係止可能な係止部を有し前記取付け部を係合可能な係合部を有するアダプタとを備え、前記アダプタは前記係合部を有する表面が前記ソケット貫通部側に前記隙間程度突出しているものである。
【００２５】
請求項８記載の照明器具によれば、アダプタは前記係合部を有する表面が前記ソケット貫通部側に前記隙間程度突出しているため、請求項１と同様な効果がある。
【００２６】
請求項９記載の照明器具は、請求項８において、前記アダプタが表面に前記隙間程度の高さの台座部を突出し前記台座部に前記取付部を設けているものである。
【００２７】
請求項９記載の照明器具によれば、請求項８と同様な効果がある。
【００２８】
請求項１０記載の照明器具は、点灯ユニットを搭載しソケット取付部を有する器具本体と、前記ソケット取付部に接近して重なるソケット貫通部を有して配光制御する反射板と、取付け部を有するランプソケットと、前記ソケット取付部に係止可能な係止部を有し前記取付け部を係合可能な係合部を有するアダプタとを備え、前記アダプタは平板状である。
【００２９】
請求項１０記載の照明器具によれば、ソケット取付部とソケット貫通部が接近しているため、請求項１と同様な効果がある。
【００３０】
請求項１１記載の照明器具は、請求項１０において、前記ソケット取付部が切欠き部とその両側より内方に突出した一対の舌片を有したものであり、前記アダプタは前記舌片に嵌合する取付孔および前記切欠き部に係止する係当部を有するものである。
【００３１】
請求項１１記載の照明器具によれば、請求項１０と同様な効果がある。
【００３２】
請求項１２記載の照明器具は、請求項１、請求項２、請求項３、請求項４、請求項５、請求項６、請求項７、請求項８、請求項９、請求項１０または請求項１１において、前記アダプタが弾性を有する金属製である。
【００３３】
請求項１２記載の照明器具によれば、請求項１、請求項２、請求項３、請求項４、請求項５、請求項６、請求項７、請求項８、請求項９、請求項１０または請求項１１と同様な効果がある。
【００３４】
請求項１３記載の照明器具は、請求項１、請求項２、請求項３、請求項４、請求項５、請求項６、請求項７、請求項８、請求項９、請求項１０または請求項１１において、前記アダプタが樹脂製である。
【００３５】
請求項１３記載の照明器具によれば、請求項１、請求項２、請求項３、請求項４、請求項５、請求項６、請求項７、請求項８、請求項９、請求項１０または請求項１１と同様な効果がある。
【００３６】
【発明の実施の形態】
この発明の第１の実施の形態を図１および図２により説明する。すなわち、この照明器具は、器具本体１と、反射板２と、ランプソケット３と、アダプタ４を有する。
【００３７】
器具本体１は点灯ユニット（図示せず）を搭載している。実施の形態では既設の器具本体に適用するものであり、図２（ａ）に示す従来型のランプソケット３ａの取付け部であるスリット５に係止する器具本体１のソケット取付部６に切欠き部７を形成している。
【００３８】
反射板２は、ソケット取付部６に重なるソケット貫通部８を有し、器具本体１に取付けられて配光制御するものである。実施の形態では既設の反射板２を用い、従来型のランプソケット３ａを遊嵌させるソケット貫通部８は切欠きにより形成され、ソケット取付部６に重なる位置に配置している。
【００３９】
ランプソケット３は、上記したのと同様な取付け用スリット５を有する。実施の形態のランプソケット３は従来型ランプソケット３ａよりも小形のものを適用している。
【００４０】
アダプタ４は、ソケット貫通部８に係止可能な係止部９を有し、ランプソケット３の取付け部であるスリット５に係合可能な係合部１０を有する。実施の形態のアダプタ４は樹脂製であり、係止部９はソケット貫通部８の幅方向の対辺に係合可能な樹脂によるばね性を有した切片である。すなわち、中板部１１と、中板部１１の両側より垂下した側片部１２とを有し、係止部９は側片部１２の下端より外側上向きに折返しその外面に上向きの傾斜面９ａを形成し、傾斜面９ａの下端部に反射板２のソケット貫通部８の両側縁部に係止する凹溝１３を形成している。係合部１０は側片部１２の内面の相対向方向に突出している。ここで、凹溝１３の凹面間の距離すなわちアダプタ幅寸法Ｗ２は反射板２のソケット貫通部８の切欠き幅Ｗ１にほぼ等しく、Ｗ１≒Ｗ２である。反射板２からランプソケット３のランプピン接続位置までの距離Ｈ１′は、凹溝１３の位置を設定することにより図２（ａ）に示す従来例のランプソケットの反射板２に対するランプピン接続位置までの距離Ｈ１に等しくすることができる。
【００４１】
組み立てについて、ランプソケット３のスリット５を図１のようにアダプタ４の係合部１０に臨ませ、スライドして係合する。アダプタ４を反射板２のソケット貫通部８に臨ませて挿入し、傾斜面９ａをソケット貫通部８の切欠き幅の両側縁部に当て押し込むことにより、係止部９の折返し部を弾性変形させて係止部９を後退する方向に傾斜させ、これにより傾斜面９ａがソケット貫通部８を乗り越え、凹溝１３を両側縁部に弾性係止し、これでランプソケット３が反射板２に取付けられる。
【００４２】
この実施の形態によれば、交換用ソケットに係合する係合部１０を有するアダプタ４の係止部９を反射板２のソケット貫通部８に係止する構成のため、既設の照明器具の反射板２の既設ソケットの逃し用切欠きをソケット貫通部８として、アダプタ４を既設の反射板に装着することができる。これにより、従来技術では克服できなかった反射板とアダプタの段差を飛躍的に改善できる。またランプソケット３と反射板２の寸法関係も、交換前のランプソケットと同じ寸法関係に維持することができ、新設のソケット取付けに伴う配光の変化を防ぐことも可能になる。
【００４３】
この発明の第２の実施の形態を図３および図４により説明する。すなわち、第１の実施の形態と比較してアダプタ４の係止部９の構成が異なる。この係止部９は側片部１２の先端部から外方に突出する第１挟持片１５と、側片部１２に切起こし第１挟持片１５に隙間をおいて重なる第２挟持片１６で構成している。反射板切欠き幅寸法Ｗ１、アダプタ幅寸法Ｗ２、第２挟持片１６の先端間寸法であるスライド爪幅寸法Ｗ３、ソケット取付部６の切欠き部７の幅寸法ｗ１、アダプタ４の中板部１１の幅寸法ｗ２として、Ｗ１＜Ｗ２、ｗ１−ｗ２＜Ｗ３−Ｗ１、であり、これでランプソケットが脱落せず、またランプソケットの位置決めも可能である。またｗ１−ｗ２＜Ｗ２−Ｗ１であり、これで切欠き部７が露出しない。
【００４４】
組み立てについて、ランプソケット３にアダプタ４を取付け、挟持片１５、１６間を、図４（ｂ）に示すようにソケット貫通部８の両側縁部にスライド係止して取付状態とする。
【００４５】
その他は、第１の実施の形態と同様である。
【００４６】
この発明の第３の実施の形態を図５および図６により説明する。すなわち、第１の実施の形態と比較して、反射板２のソケット貫通部８が矩形孔である。またランプソケット３の取付け部がスリット５ではなく、ランプソケット３の両側に略くの字に突出した突出ばね１５と、突出ばね１５に対向する係止突起１６とで構成されている。さらにアダプタ４はソケット貫通部８の大きさに合わせたばね性の金属製の平板により形成され、係止部９は両側の略中央に立ち片１７を折曲し、立ち片１７にばね性のある爪１８を切起こしにより形成している。このアダプタ４にランプソケット３を取付けるための係合部１０として孔を形成している。
【００４７】
図６は器具本体１のソケット取付部６に反射板２を隙間なく直に重ねて取付け、さらにランプソケット３を取付けた状態である。その組み立ては、まずランプソケット３を係合部１０に差し込み、係合部１０の口縁を突出ばね１５と突起１６との間に挟持し、これによりアダプタ４にランプソケット３を取付ける。つぎにソケット貫通部８にアダプタ４を挿入し、爪１８をソケット貫通部８の縁部に押付けて弾性変形させながらくぐらせ図６のように係止する。この場合、爪１８の一方はソケット取付部６の縁部に係止している。
【００４８】
一般的に反射板２のソケット貫通部８の角穴の内面は略ランプ長であり、製品の品質上重要なソケットの間隔も容易に確保することができる。また反射板２のソケット貫通部８の孔の両側（長手方向）が弾力があるので耐震性などの信頼性も期待できる。
【００４９】
その他は第１の実施の形態と同様である。なお、ソケット取付部６と反射板２との間に隙間がある場合はアダプタ４を反射板２のみに係止してもよく、またソケット取付部６を切欠き部に代えて孔にした場合に、両方の爪１８をソケット取付部６に係止してもよい。
【００５０】
この発明の第４の実施の形態を図７および図８により説明する。すなわち、第３の実施の形態と異なる点は、アダプタ４の係止部９の一方の爪に代えて鉤形の引掛爪９ｃを外方に延出している。これにより一方をヒンジ支点となる引掛式とし、他方を弾性爪１８によるスナップイン方式とした。
【００５１】
取付けは、図８に示すように引掛爪９ｃをソケット貫通部８の孔縁に引掛けて仮止めし、この引掛爪９ｃを支点にしてアダプタ４を回転して係止部９の弾性爪１８を係止する。
【００５２】
その他は第１の実施の形態と同様である。なお、係止部９の一方をソケット貫通部８に係止し、他方をソケット取付部６に係止したが、両方を反射板２のみまたはソケット取付部６のみに取付けることができる。
【００５３】
この発明の第５の実施の形態を図９に示す。すなわち、この照明器具は、図９（ａ）に示すように既設のランプソケット１０７の両側に形成した取付用スリット１０８をソケット取付台１０４の切欠き部１０５にスライドして係止する既設の照明器具を利用している。図９（ｂ）に示すようにアダプタ４はソケット取付部６の切欠き部７ａの形状に沿った外形を有し、係止部９として、切欠き部７ａに嵌合する嵌合部２０と、この嵌合部２０の上側に切欠き部７ａに係止するつば２１を形成し、さらに嵌合部２０の側面に弾性爪２２を突設して切欠き部７ａに抜止め係止している。このアダプタ４の上面にソケット取付部６と反射板（図示せず）の隙間分の台座部２３を突設してその上面にランプソケット（図示せず）を装着するための係合部１０を孔形成している。ランプソケットは例えば第３の実施の形態または第４の実施の形態を適用する。
【００５４】
取付けは、第３の実施の形態等に示したようにランプソケットを係合部１０に取付け、つぎにアダプタ４の嵌合部２０を切欠き部７ａに嵌合させ弾性爪２２を弾性変形させてつば２１に係止する。
【００５５】
台座部２３は反射板に対して収まりを良くするためのものであり、反射板とソケット取付部６との段差がなく、ソケットに接続するリード線も外観からは見えないようにするといった付加機能を有する。
【００５６】
図９（ｃ）は変形の実施の形態であり、アダプタ４の高さを大きくして台座部２３をなくし、また係止部９は、嵌合部２０の側面の弾性爪２２に対向して係止突起２４を設けている。嵌合部２０を切欠き部７ａに嵌合し弾性爪２２を弾性変形して係止突起２４を切欠き部７ａの縁部に係止する。
【００５７】
図１０（ａ）は別の変形の実施の形態であり、台座部２３の係合部１０を切欠きにより形成し、これに取付け部５がスリットであるランプソケット３を装着できるようにしている。
【００５８】
図１０（ｂ）はさらに別の変形の実施の形態であり、台座部２３に取付片２５を立設し、取付片２５に一対の取付孔２６を形成し、取付孔２６に嵌着するピンを用いた取付部５をランプソケット３に設けている。
【００５９】
この発明の第６の実施の形態を図１１および図１２に示す。すなわち、この実施の形態は、図１１（ａ）に示すように既設のランプソケット１０７の両側に形成した取付用スリット１０８を、ソケット取付台１０４の切欠き部１０５より内方に突き出す舌片１１５にスライドして係止する既設の照明器具を利用している。図１１（ｂ）に示すようにランプソケット１０７のスリット１０８に舌片１１５を押し込むと波打ったような形状でランプソケット１０７が係止される。
【００６０】
図１２（ａ）に示すように、アダプタ４は金属製の平板により形成され、ソケット取付部６の切欠き部７ａより内方に突出した舌片３１を挿入させる孔３０を形成し、ランプソケットを挿入させる係合部１０を孔３０の近傍に形成し、係合部１０から離れた前端側の両側または一側部に側片３２を折曲し、側片３２に係当部として半球状の突起３３を突設している。係止部９は孔３０と、側片３２と、突起３３により形成している。ランプソケットは例えば第３の実施の形態等と同じものを用いる。
【００６１】
組み立ては係合部１０にランプソケットを装着し、舌片３１の先端を若干上方に曲げ、アダプタ４の孔３０を舌片３１の先端に差し込み、舌片３１を軸としてアダプタ４を回転させるようにして側片３２を下げ、突起３３を切欠き部７ａの縁部にくぐらせて係止し、取付状態とする。
【００６２】
図１３は変形の実施の形態を示し、アダプタ４の孔３０に代えて切曲部３４を形成するとともに、係合部１０は折曲部３４から離れた前端側に垂下片３６を垂下し、垂下片３６の下端部に係当部となる引掛部３５を切起こしている。係止部９は切曲部３４と、垂下片３６と、引掛部３５からなる。また係合部１０に装着するランプソケット３は両側に係止片３７を形成している。
【００６３】
取付けは、アダプタ４を下方から切欠き部７ａに挿入し、アダプタ４の切曲部３４を矢印のように下方から舌片３１に差し込み、アダプタ４を上方へ若干たわませるようにしながら器具長手方向に引込み、アダプタ４の前端側の引掛部３５をソケット取付部６の前壁６ｂに形成された切欠き部６ｃの前縁３９に引掛けて固定し、これにより引掛部３５によって器具長手方向を保持し、アダプタ４の切曲部３４および舌片３１の平滑部によって上下方向を保持する。ランプソケット３は係合部１０に挿入して係止片３７で係止する。
【００６４】
なお、第６の実施の形態において、反射板（図示せず）はソケット取付部６に直にまたは接近して重ねるが、隙間をおいて重ねてもよい。またランプソケット３のソケット仕様を突き合わせ式から回転式などにも適用できる。またアダプタ４は樹脂製のものに代えて金属製にしてもよく、反対に金属製のものに代えて樹脂製にしてもよい。
【００６５】
【発明の効果】
請求項１記載の照明器具によれば、ソケット貫通部にアダプタを係止する構成のため意匠的に優れ、既設の照明器具に適用しても、反射板とランプとの相対的な位置ずれの発生を防止することができる。
【００６６】
請求項２記載の照明器具によれば、請求項１と同様な効果がある。
【００６７】
請求項３記載の照明器具によれば、請求項１と同様な効果がある。
【００６８】
請求項４記載の照明器具によれば、請求項１と同様な効果がある。
【００６９】
請求項５記載の照明器具によれば、ソケット取付部とソケット貫通部が直に重なっているため、請求項２と同様な効果がある。
【００７０】
請求項６記載の照明器具によれば、ソケット取付部とソケット貫通部が直に重なっているため、請求項１と同様な効果がある。
【００７１】
請求項７記載の照明器具によれば、ソケット取付部とソケット貫通部が直に重なっているため、請求項６と同様な効果がある。
【００７２】
請求項８記載の照明器具によれば、アダプタは前記取付け部を有する表面が前記ソケット貫通部側に前記隙間程度突出しているため、請求項１と同様な効果がある。
【００７３】
請求項９記載の照明器具によれば、請求項８と同様な効果がある。
【００７４】
請求項１０記載の照明器具によれば、ソケット取付部とソケット貫通部が接近しているため、請求項１と同様な効果がある。
【００７５】
請求項１１記載の照明器具によれば、請求項１０と同様な効果がある。
【００７６】
請求項１２記載の照明器具によれば、請求項１、請求項２、請求項３、請求項４、請求項５、請求項６、請求項７、請求項８、請求項９、請求項１０または請求項１１と同様な効果がある。
【００７７】
請求項１３記載の照明器具によれば、請求項１、請求項２、請求項３、請求項４、請求項５、請求項６、請求項７、請求項８、請求項９、請求項１０または請求項１１と同様な効果がある。
【図面の簡単な説明】
【図１】この発明の第１の実施の形態の部分分解斜視図である。
【図２】（ａ）は既存のランプソケットの取付部の部分図、（ｂ）は第１の実施の形態のランプソケットの取付構造の部分図である。
【図３】この発明の第２の実施の形態の部分分解斜視図である。
【図４】（ａ）は既存のランプソケットの取付部の部分図、（ｂ）は第２の実施の形態のランプソケットの取付構造の部分図である。
【図５】この発明の第３の実施の形態の部分分解斜視図である。
【図６】（ａ）は器具本体の部分断面図、（ｂ）はその部分拡大図である。
【図７】この発明の第４の実施の形態の部分分解斜視図である。
【図８】（ａ）は器具本体の部分断面図、（ｂ）はその部分拡大図である。
【図９】この発明の第５の実施の形態を示し、（ａ）は既存のソケット取付部の部分斜視図、（ｂ）は第５の実施の形態のアダプタを既存のソケット取付部に取付ける状態を説明する部分分解斜視図、（ｃ）は変形の実施の形態の部分分解斜視図である。
【図１０】それぞれ、別の実施の形態のアダプタを既存のソケット取付部に取付ける状態を説明する部分分解斜視図である。
【図１１】（ａ）は既存のソケット取付部へのランプソケットの取付けを説明する斜視図、（ｂ）はランプソケットを取付けた状態の部分斜視図である。
【図１２】（ａ）は既存のソケット取付部へ第６の実施の形態のアダプタの取付けを説明する斜視図、（ｂ）はアダプタの取付状態を説明する部分斜視図である。
【図１３】既存のソケット取付部へ変形の実施の形態のアダプタの取付けを説明する斜視図である。
【図１４】従来例の部分分解斜視図である。
【図１５】（ａ）は既存のランプソケットの取付部の部分図、（ｂ）は従来例のアダプタを設けたランプソケットの取付構造の部分図である。
【図１６】別の従来例の部分分解斜視図である。
【図１７】（ａ）は既存のランプソケットの取付部の部分図、（ｂ）は従来例のアダプタを設けたランプソケットの取付構造の部分図である。
【符号の説明】
１    器具本体
２    反射板
３    ランプソケット
４    アダプタ
５    取付け部となるスリット
６    ソケット取付部
８    ソケット貫通部
９    係止部
９ａ    傾斜面
９ｃ    引掛爪
１０    係合部
１５    第１挟持片
１６    第２挟持片
１８    弾性爪
２０    嵌合部
２３    台座部
３１    舌片部
３３    突起
３５    引掛部
【図１】
0003994674.tif 000002
【図２】
0003994674.tif 000003
【図３】
0003994674.tif 000004
【図４】
0003994674.tif 000005
【図５】
0003994674.tif 000006
【図６】
0003994674.tif 000007
【図７】
0003994674.tif 000008
【図８】
0003994674.tif 000009
【図９】
0003994674.tif 000010
【図１０】
0003994674.tif 000011
【図１１】
0003994674.tif 000012
【図１２】
0003994674.tif 000013
【図１３】
0003994674.tif 000014
【図１４】
0003994674.tif 000015
【図１５】
0003994674.tif 000016
【図１６】
0003994674.tif 000017
【図１７】
0003994674.tif 000018